(57)【要約】【課題】  デジタルカメラ内の画像ファイルのうちで、サムネイル画像のみを抽出し、この抽出されたサムネイル画像をネットワークに転送するので、データ通信速度が比較的遅い携帯端末や、別なファクシミリ装置による簡便な閲覧が可能であるファクシミリ装置および画像ファイル転送システムを提供することを目的とするものである。【解決手段】  ＵＳＢインタフェース接続可能なＵＳＢホスト制御手段と、ＵＳＢインタフェースでデジタルカメラと接続しデジタルカメラ内のＵＳＢストレージ手段を閲覧・編集が可能である大型の表示部とをファクシミリ装置が持ち、上記ファクシミリ装置が接続されているネットワークにサーバ装置を接続し、上記ファクシミリ装置から上記サーバ装置に、画像ファイルのサムネイル画像を転送し、この転送されたサムネイル画像を閲覧可能とする画像ファイル転送システムである。【選択図】  図１
2005123928.tif 000002
【特許請求の範囲】
【請求項１】
ＵＳＢインタフェース接続可能なＵＳＢホスト制御手段と；
ＵＳＢインタフェースを介して、デジタルカメラと接続し、デジタルカメラ内ＵＳＢストレージ手段を閲覧・編集が可能なファイルシステムと；
上記デジタルカメラ内の画像ファイル、ディレクトリ構造を閲覧する大型の表示部と；
所定のネットワークに接続し、ＩＴＵ−Ｔ準拠のＶ．３４やＶ．９０のデータ通信を行うデータモデムと；
を有することを特徴とするファクシミリ装置。
【請求項２】
請求項１において、
上記データモデムは、上記所定のネットワークに接続し、サムネイル画像を転送するモデムであることを特徴とするファクシミリ装置。
【請求項３】
ＵＳＢインタフェース接続可能なＵＳＢホスト制御手段と、ＵＳＢインタフェースを介して、デジタルカメラと接続し、デジタルカメラ内ＵＳＢストレージ手段を閲覧・編集が可能なファイルシステムと、上記デジタルカメラ内の画像ファイル、ディレクトリ構造を閲覧する大型の表示部と、所定のネットワークに接続し、ＩＴＵ−Ｔ準拠のＶ．３４やＶ．９０のデータ通信を行うデータモデムとを具備するファクシミリ装置と；
上記所定のネットワークに接続されるサーバ装置と；
を有し、上記ファクシミリ装置が接続されている上記ネットワークに上記サーバ装置を接続し、上記ファクシミリ装置から上記サーバ装置に、画像ファイルを転送し、この転送された画像ファイルを閲覧可能とすることを特徴とする画像ファイル転送システム。
【請求項４】
請求項３において、
上記ファクシミリ装置から上記サーバ装置に転送する画像ファイルは、サムネイル画像であることを特徴とする画像ファイル転送システム。
【発明の詳細な説明】
【技術分野】
【０００１】
本発明は、ＵＳＢインタフェースを介して、デジタルカメラとの間で接続され、デジタルカメラ内の画像ファイルを閲覧・編集が可能であり、インターネット等のネットワークに接続し、専用のサーバ装置に、上記画像ファイルをアップロードするデータモデム通信可能なファクシミリ装置および画像ファイル転送システムに関する。
【背景技術】
【０００２】
従来、ＵＳＢ等のインタフェースによって画像ファイルを該当装置に取り込み、その後に、画像データをディレクトリ表示させ、編集することができる（たとえば、特許文献１参照）。
【０００３】
さらに、ＰＣＭＣＩＡ等のメモリインタフェースによって、上記装置に接続されているメモリ内の画像ファイルを閲覧・編集することができる。
【０００４】
また、インタフェースを介して、デジタルカメラ同士を接続し、一方のデジタルカメラの内容（ファイル構造やファイル名）を、他方のデジタルカメラで閲覧・編集することができる（たとえば、特許文献２参照）。
【０００５】
また、ネットワークへ画像ファイルをアップロードする場合、インターネットに接続可能なＰＣ（パーソナルコンピュータ）等の装置は、デジタルカメラの画像をそのままアップロードする。
【０００６】
近年、大容量化するデジタルカメラの画像データを、複数枚アップロードする際に、データモデムによる通信では、通信速度が遅く、負荷が重過ぎるので、データモデム通信ではなく、ＡＤＳＬや光ケーブル等による高速ブロードバンド通信を利用する必要がある。
【０００７】
一方で、デジタルカメラの画像データを、インターネット上の専用サーバにアップロードし、パスワードやアドレスを設定し、別の遠隔地の別の装置から、上記画像データを閲覧することが、既に実行され、このようなサーバを利用するには、上記のように、画像ファイルの容量と通信速度との問題から、高速通信が可能なＰＣを使用することが一般的である。
【特許文献１】特開２００１−１４８００４号公報
【特許文献２】特開２０００−７８５１７号公報
【発明の開示】
【発明が解決しようとする課題】
【０００８】
しかし、上記従来のファクシミリ装置では、ネットワーク上に画像ファイルをアップロードし、別の場所に存在している別のファクシミリ装置から、デジタルカメラ内の画像を閲覧することは困難である。
【０００９】
ＰＣ等を用い、画像ファイルをアップロードする際にも、通信速度に制約があるので、画像ファイル容量、画像枚数を小さくする等の操作を、ユーザが強いられている。
【００１０】
本発明は、デジタルカメラ内の画像ファイルのうちで、サムネイル画像のみを抽出し、この抽出されたサムネイル画像をネットワークに転送するので、データ通信速度が比較的遅い携帯端末や、別なファクシミリ装置による簡便な閲覧が可能であるファクシミリ装置および画像ファイル転送システムを提供することを目的とするものである。
【課題を解決するための手段】
【００１１】
本発明は、ＵＳＢインタフェース接続可能なＵＳＢホスト制御手段と、ＵＳＢインタフェースを介して、デジタルカメラと接続し、デジタルカメラ内ＵＳＢストレージ手段を閲覧・編集が可能なファイルシステムと、上記デジタルカメラ内の画像ファイル、ディレクトリ構造を閲覧する大型の表示部と、所定のネットワークに接続し、ＩＴＵ−Ｔ準拠のＶ．３４やＶ．９０のデータ通信を行うデータモデムとを具備するファクシミリ装置と、上記所定のネットワークに接続されるサーバ装置とを有し、上記ファクシミリ装置が接続されている上記ネットワークに上記サーバ装置を接続し、上記ファクシミリ装置から上記サーバ装置に、画像ファイルのサムネイル画像を転送し、この転送されたサムネイル画像を閲覧可能とする画像ファイル転送システムである。
【発明の効果】
【００１２】
本発明によれば、デジタルカメラ内の画像ファイルのうちで、サムネイル画像のみを抽出し、この抽出されたサムネイル画像をネットワークに転送するので、データ通信速度が比較的遅い携帯端末や、別なファクシミリ装置による簡便な閲覧が可能である。
【発明を実施するための最良の形態】
【００１３】
発明を実施するための最良の形態は、以下の実施例である。
【実施例１】
【００１４】
図１は、本発明の実施例１であるファクシミリ装置１００を示すブロック図である。
【００１５】
ファクシミリ装置１００は、制御部１と、ＲＯＭ２と、ワークメモリ３と、メモリ４と、画像記録部５と、原稿読取部６と、操作部７と、計時タイマ８と、モデム９と、ＮＣＵ１０と、データモデム１２と、ＵＳＢホスト１３とを有する。
【００１６】
制御部１は、ファクシミリ装置１００の全体を制御する制御部である。ＲＯＭ２は、制御プログラムが記憶されているメモリである。ワークメモリ３は、ユーザ設定を記憶し、受信した画像や、読取部において読み取った画像を保持する記憶手段（メモリ）である。メモリ４は、制御上必要な演算に使用し、一時的に使用するワークメモリである。
【００１７】
画像記録部５は、受信画像等を記録する画像記録部である。原稿読取部６は、ファクシミリにおける読取部である。操作部７は、表示部と入力部とを含む本装置を、ユーザが操作する操作部である。
【００１８】
モデム９は、ファクシミリ通信を行い、データ転送を行うモデムである。ＮＣＵ１０は、電話回線とファクシミリのインタフェースをとる。データモデム１２は、Ｖ．３４／Ｖ．９０（ＩＴＵ−Ｔ規格）に準拠したデータモデムである。
【００１９】
制御部１と、ＲＯＭ２と、記憶手段３と、メモリ４と、画像記録部５と、原稿読取部６と、操作部７と、計時タイマ８と、モデム９と、データモデム１２と、ＵＳＢホスト１３とは、互いにバスで接続されている。
【００２０】
また、モデム９とＮＣＵ１０との間、ＮＣＵ１０と公衆回線１１との間、ＮＣＵ１０とデータモデム１２との間は、信号線で接続されている。
【００２１】
また、ＵＳＢホスト１３は、信号線を介して、ＤＳＣ（Ｄｉｇｉｔａｌ  Ｓｔｉｌｌ  Ｃａｍｅｒａ、デジタルカメラ）１４に接続される。
【００２２】
図２は、ファクシミリ装置１００が使用されている画像ファイル転送システム２００の全体を示すブロック図である。
【００２３】
画像ファイル転送システム２００は、サーバ装置３０と、インターネット４０と、ＩＳＰ５１、５２と、無線基地局６０と、携帯端末７０と、ファクシミリ装置１００、１０１と、デジタルカメラ１４とを有する。
【００２４】
サーバ装置３０は、ＩＳＰ５１、５２によって設置され、画像ファイル等をユーザが保管するためのサーバ装置である。ＩＳＰ５１、５２は、インターネット４０に接続するために、ファクシミリ装置１００、１０１から発呼し、データモデム通信を行うＩｎｔｅｒｎｅｔ  Ｓｅｒｖｉｃｅ  Ｐｒｏｖｉｄｅｒであり、アクセスポイントの例である。
【００２５】
無線基地局６０は、ＩＳＰ５１、５２と同様の機能を持ち、携帯端末７０等の無線接続に供する無線基地局である。ファクシミリ装置１０１は、ファクシミリ装置１００と同様の装置である。
【００２６】
次に、上記実施例の動作について説明する。
【００２７】
まず、ファクシミリ装置１００は、ＵＳＢインタフェースを介して、デジタルカメラ１４に接続が可能であり、ＵＳＢホストインタフェース機能を備える。
【００２８】
ファクシミリ装置１００と接続されるデジタルカメラ１４は、ＤＣＦ規格に対応したシステム構成を具備し、ＵＳＢストレージ機能を持つ。
【００２９】
また、ファクシミリ装置１００は、データモデム１２を搭載し、ＩＴＵ−Ｔ  Ｖ．３４／Ｖ．９０規格に沿ったデータ通信を行うことが可能である。これによって、ＩＳＰ５１、５２やＮＴＴ（登録商標）の簡易接続サービス等を経由したインターネットへの接続が可能である。
【００３０】
インターネット４０には、別途、サーバ装置３０が用意される。ＩＳＰやデジタルカメラメーカ等が、サーバ装置３０を設置し、ユーザは、サーバ装置３０を設置した事業者と契約の上、サーバ装置３０の利用が許可される。
【００３１】
インターネット４０に接続できる全ての装置から、サーバ装置３０へのアクセスが可能であり、ＩＤやパスワードによって、サーバ装置３０内のデータは保護されている。
【００３２】
次に、ユーザが、ファクシミリ装置１００にデジタルカメラ１４を接続し、インターネット４０上のサーバ装置３０に、画像データを転送（アップロード）する動作について説明する。
【００３３】
まず、ユーザは、ＵＳＢ接続によって、デジタルカメラ１４とファクシミリ装置１００とを接続する。デジタルカメラ１４が、ＵＳＢペリフェラル側になり、ファクシミリ装置１００がＵＳＢホスト側となり、接続される。
【００３４】
ＵＳＢインタフェースが確立されると、ファクシミリ装置１００は、デジタルカメラ１４内のＵＳＢストレージ内のデータを、上記ＦＡＴファイルシステム等のファイルシステムによって閲覧・編集が可能になる。
【００３５】
そこで、ファクシミリ装置１００は、デジタルカメラ１４内の記憶装置（メモリカード、内蔵メモリ）におけるディレクトリ構造、ファイル名等を、ファクシミリ装置１００に設けられている操作部７における表示部において表示する。
【００３６】
この表示方法は、上記特許文献１等に記載されているように、一般的であるので、その詳細は説明しないが、ここで重要なことは、ファクシミリ装置１００は、上記ＵＳＢストレージ内のファイル構造とサムネイル画像とを、デジタルカメラ１４から読み出し、操作部７における表示部に表示する点である。
【００３７】
次に、ファクシミリ装置１００の操作部７において、ユーザがデジタルカメラ１４内のファイルを選択し、サーバ装置３０に送るべく「アップロード」の指示をキー操作等によって行う。
【００３８】
ファクシミリ装置１００は、ＮＣＵ１０によって電話回線１１を捕捉し、ＩＳＰ５１、５２（アクセスポイント）に発呼する。ＩＳＰ５１、５２が被呼すると、通信が開始され、Ｖ．３４／Ｖ．９０規格の接続ネゴシエーション（ハンドシェーク）が正常に終了すれば、データ通信が可能になる。
【００３９】
次に、ファクシミリ装置１００は、サーバ装置３０のアドレスに接続要求を行う。サーバ装置３０は、接続要求があると、サーバ装置３０の利用許可者であるか否かを判定するために、ユーザＩＤ、パスワードを要求する。ファクシミリ装置１００は、操作部７に設けられている表示部に表示することによって、上記ユーザＩＤ、パスワードの入力を、ユーザに要求する。
【００４０】
このユーザＩＤ、パスワードは、ファクシミリ装置１００のメモリに記憶しておくことによって、次回以降のアクセス時には、サーバ装置３０とのユーザ判定のやり取りを、自動的に行うことができる。
【００４１】
ユーザＩＤ、パスワードの確認が正常に終了すれば、サーバ装置３０の中の決められたアドレス部分の記憶媒体に、データを転送する。データ転送については、ここでは詳細には説明しないが、ＦＴＰ（Ｆｉｌｅ  Ｔｒａｎｓｆｅｒ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）等、広く一般的に用いられている転送方式を採用するようにしてもよい。
【００４２】
ファクシミリ装置１００は、デジタルカメラ１４内の画像ファイルのうちサムネイル画像のみを抽出し、この抽出されたサムネイル画像を、サーバ装置３０に転送（アップロード）する。
【００４３】
ファイルシステムによってファイル名を判別できるので、上記ユーザによる転送の選択を受けた画像ファイルの対となるサムネイル画像を抽出して転送する。
【００４４】
サーバ装置３０に転送されたサムネイル画像は、その画像サイズが１６０×１２０ｄｏｔであり、ＶＧＡサイズ以下であり、他の同様なインターネット接続可能なファクシミリ装置１０１や携帯端末７０等の装置で閲覧するには、適した画像サイズである。
【００４５】
そして、遠隔地等の別のユーザが、インターネット４０に接続し、携帯電話を含む携帯端末７０、インターネット４０接続したファクシミリ装置１００等を利用すれば、サーバ装置３０に転送（アップロード）された画像ファイルを容易に閲覧することができる。
【００４６】
次に、上記実施例において、サーバ装置３０へ転送（アップロード）する動作について説明する。
【００４７】
図３は、上記実施例において、サーバ装置３０へ転送（アップロード）する動作を示すフローチャートである。
【００４８】
まず、Ｓ２０１では、ファクシミリ装置１００は、スタンバイ状態である。Ｓ２０２では、ＵＳＢケーブルによって、ファクシミリ装置１００とデジタルカメラ１４とを、ユーザが接続する。ＵＳＢホスト制御手段１３は、ＵＳＢ接続されたことを検知し、ＵＳＢの接続手順によって、デジタルカメラ１４との間で、ＵＳＢ接続を確立する。この接続が確立したら、Ｓ２０３へ進む。
【００４９】
Ｓ２０３では、デジタルカメラ１４内のＵＳＢストレージ手段内にある画像ファイルとディレクトリ構造とを、ファクシミリ装置１００が読み出す。ここでは、ＯＳのファイルシステムによる読み出しである。
【００５０】
Ｓ２０４では、読み出した画像ファイルとディレクトリ構造とを、ファクシミリ装置１００の表示部（操作部７に設けられている表示部）で、ユーザが確認することができる。ファクシミリ装置１００の表示部では、複数の画像ファイルを同時に一覧表示し、単独の画像ファイルを選択し、表示することができる。
【００５１】
また、デジタルカメラ１４内の記憶媒体の中に格納されている全てのフォルダ内の画像ファイルを、そのファイル拡張子（ＪＰＧ、ＰＮＧ等）によって識別し、表示することができるので、ユーザは、デジタルカメラ１４の小さい表示部にて作業する代わりに、ファクシミリ装置１００の大きな表示部において作業可能である。
【００５２】
さらに、デジタルカメラ１４内の記憶媒体の中には、複数のデジタルカメラ１４で撮影したことのある記憶媒体があり、この場合には、複数のフォルダ等ができている場合が多いが、このような場合にも、それら全ての画像ファイルがどのフォルダに置かれているのか、何枚の画像ファイルがあるのか等の付帯情報についても、ファクシミリ装置１００において確認できるので、ユーザにとって便利である。
【００５３】
Ｓ２０４では、ユーザは、ファクシミリ装置１００の表示部を見ながら、ファクシミリ装置１００の操作部７によって、サーバ装置３０に転送する画像ファイルを選択する。この選択された画像ファイルは、複数のフォルダにまたがっていても問題はない。
【００５４】
ここで、サーバ装置３０に送りたい画像に、マークを付ける等、ユーザインタフェースについては、様々な方法が考えられる。
【００５５】
画像ファイル選択が終了したら、ユーザは、転送の指示を行うべく、操作部７を操作する。この操作も、キー１つを押下する等の簡便な方法である。転送の指示をユーザが行うと、Ｓ２０５へ進む。
【００５６】
Ｓ２０５では、ファクシミリ装置１００の制御部１は、ＮＣＵ１０を制御し、電話回線１１の捕捉、発呼を行う。発呼先は、ＩＳＰ５１、５２等のアクセスポイント等、インターネット４０の接続口である。
【００５７】
Ｓ２０６では、ＩＳＰ（アクセスポイント）５１、５２とファクシミリ装置１００とは、データ通信Ｖ．３４／Ｖ．９０のプロトコルによって、ネゴシエーションを行い、通信を確立する。通信が確立したら、Ｓ２０８へ進む。一方、通信が何らかの理由によって確立できない場合、制御部１は、それを検知し、Ｓ２０７へ進む。
【００５８】
Ｓ２０７では、制御部１は、表示部において、エラーをユーザに通知し、データモデム通信を中止する。中止した後は、Ｓ２０１のスタンバイへ戻る。
【００５９】
Ｓ２０８では、サーバ装置３０のネットワークアドレス（ＩＰアドレス）を事前に、ユーザが、ファクシミリ装置１００に記憶させてあるので、ファクシミリ装置１００は、サーバ装置３０に対して接続要求を開始する。
【００６０】
要求を受けたサーバ装置３０は、アクセス権のあるログイン者であるか否かを確認するために、ユーザＩＤ、パスワードを、ファクシミリ装置１００に要求し、Ｓ２０９へ進む。
【００６１】
Ｓ２０９では、ユーザがＩＤ、パスワードを入力して、送信する。サーバ装置３０側で認証が終了すれば、Ｓ２１０へ進む。ＩＤ、パスワードを認証することができない等の問題があると、数回のリトライは可能であるが、それ以上の認証確認を行わずに、Ｓ２０７へ進む。
【００６２】
Ｓ２１０では、ファクシミリ装置１００は、Ｓ２０４で選択された画像ファイルのそれぞれに対応するサムネイル画像を抽出し、サーバ装置３０の予め定められた場所に、データをＦＴＰ、ＨＴＴＰ等の方法で複製転送する。
【００６３】
Ｓ２１１では、ファクシミリ装置１００とサーバ装置３０とが、お互いのサムネイル画像のファイル情報を確認することによって、サムネイル画像が正常に転送されたことを認識することができる。正常終了であれば、Ｓ２１２へ進む。
【００６４】
データ転送中に、ユーザによる中断、転送回線のトラブル等の問題によって、お互いのサムネイル画像に相違が生じた場合、エラーとして、Ｓ２０７へ進む。なお、転送に関して、数回のリトライを行うようにしてもよい。
【００６５】
Ｓ２１２では、ファクシミリ装置１００は、データモデムによる通信を終了し、表示部等に表示することによって、転送終了をユーザに通知する。サーバ装置３０に転送された画像ファイルは、インターネット４０に接続可能なあらゆる装置から閲覧可能である。
【００６６】
つまり、ＩＤとパスワードとを知らせると、上記ユーザとは別の人間が別の場所、別の端末から、アップロードした画像ファイルを容易に閲覧することができる。特に、サムネイル画像を転送してあるので、ＶＧＡサイズ程度までを主に利用する携帯端末７０、携帯電話、ファクシミリ装置１００、１０１等による閲覧が主であると思われる。
【００６７】
ところで、デジタルカメラ１４は、ＵＳＢストレージ手段を搭載している。なお、「ＵＳＢストレージ手段」は、ＵＳＢ規格で定められている記憶媒体であり、デジタルカメラ１４の撮像データやサムネイル画像等のデータを、ディレクトリ構造毎に格納する手段である。
【００６８】
上記ＵＳＢストレージ手段を持つ装置Ａが、他の装置Ｂとの間で、ＵＳＢ接続された場合に、ＵＳＢホスト側で、装置ＢからＵＳＢペリフェラル側である装置Ａを見た場合に、装置Ａ内のディレクトリ構造、ファイル名等の情報を、装置Ｂで閲覧することができる。またファイルを複写、削除、変更する操作も可能になる。
【００６９】
近年、デジタルカメラ１４には、上記ＵＳＢストレージ手段を搭載するカメラが増え、これらのデジタルカメラ１４は、ＰＣとの間で、ＵＳＢ接続することによって、そのデジタルカメラ１４内の画像ファイルを、ＰＣが閲覧・編集することができる。
【００７０】
これらのディレクトリ構造を含めた電子ファイルの閲覧・編集については、Ｗｉｎｄｏｗｓ（登録商標）に代表されるＯＳ（Ｏｐｅｒａｔｉｎｇ  Ｓｙｓｔｅｍ）によって可能になっている。
【００７１】
ＯＳで代表的なものは、ＭＳ−ＤＯＳである。このＭＳ−ＤＯＳにおいて使われているＦＡＴファイルシステム等を利用することによって、閲覧・編集が可能になる。
【００７２】
上記「ＦＡＴファイルシステム」は、ＭＳ−ＤＯＳにおけるブロックデバイス（フロッピー（登録商標）ディスク、ハードディスク）上のファイルを管理する仕組みである。ユーザが論理的に扱うファイルやディレクトリを、実際の物理的なディスク上に対応させ、ファイルやディレクトリ自体を構成する体系を、ファイルシステムと呼ぶ。ＭＳ−ＤＯＳのファイルシステムは、ディレクトリエントリとＦＡＴ（Ｆｉｌｅ  Ａｌｌｏｃａｔｉｏｎ  Ｔａｂｌｅ）という情報によって、管理されている。
【００７３】
また、デジタルカメラ１４は、一般的に、撮影した画像ファイルそのものと、その画像ファイルを縮小したサムネイル画像（一覧表示等に使われる小画像）との２つを持っている。このサムネイル画像は、ＤＣＦ規格に対応するデジタルカメラ１４には、必須であり、撮像ファイルを主とすると、必ず対となるサムネイル画像が副として、同一ディレクトリ内に置かれる。
【００７４】
上記「ＤＣＦ」は、主として、デジタルカメラ１４の画像ファイルを、関連機器間で簡便に利用しあうことを目的として規定された（社）電子情報技術産業協会（ＪＥＩＴＡ）の規格「Ｄｅｓｉｇｎ  ｒｕｌｅ  ｆｏｒ  Ｃａｍｅｒａ  Ｆｉｌｅ  ｓｙｓｔｅｍ」の略称である。
【００７５】
サムネイル画像は、ＤＣＦ規格で定められているように、ＴＨＭを拡張子とするＪＰＥＧデータファイルである。その画像サイズは、１６０×１２０ｄｏｔ、画面アスペクトは４：３である。
【００７６】
ファクシミリ装置１００は、デジタルカメラ１４との間で、ＵＳＢ接続し、ＰＣ同様に、デジタルカメラ１４内の画像ファイル等をディレクトリ構造を含めて閲覧・編集ができるものである。ファクシミリ装置１００は、デジタルカメラ１４に比して、大きな液晶表示部を持つ装置であり、ＵＳＢ接続されるデジタルカメラ１４内の画像ファイルを、容易に閲覧・編集することができる。
【００７７】
また、ファクシミリ装置１００は、データモデムを内蔵し、Ｖ．３４／Ｖ．９０（ＩＴＵ−Ｕ規格）でのデータ通信が可能である。このデータ通信によって、インターネット４０への接続が簡易になる。
【００７８】
インターネット４０を経由し、用意されたサーバ装置３０に画像ファイルをデータ転送することができ、画像ファイルをサーバ装置３０に保管し、任意の場所、任意の時間に、誰でもアクセス可能である。サーバ装置３０は、パスワード、ＩＤ等で保護され、アクセスを制限できる。
【００７９】
上記のようなインターネット４０経由で、サーバ装置３０を利用した電子画像保管に関するサービスを提供するインターネットプロバイダ等の利用も行われている。
【００８０】
ファクシミリ装置１００に関して、上記のような簡易インターネットを利用するサービスを、ＮＴＴ（登録商標）が既に実施している。しかし、上記のような簡易インターネット接続について、上記データモデムでの接続が、まだ一般的であり、その回線速度は、Ｖ．３４で３３．６ｋｂｐｓ、Ｖ．９０で５６ｋｂｐｓ程度と、それほど高速なデータ通信は行われていない。ＡＤＳＬ等の数Ｍｂｐｓの通信が行えるＰＣとは異なる。
【００８１】
一方、携帯電話を含むモバイル端末について、液晶サイズやデータ通信速度は、上記ファクシミリ装置と比して同等程度である。
【００８２】
携帯電話を含むファクシミリ装置等の通信機器において、カラー表示部のサイズは、ＰＣよりも表示部が小さくＶＧＡサイズ（６４０×４８０ドット）程度である。
【００８３】
そのために、そこに画像ファイルを表示する際にも、デジタルカメラ１４では一般的なＶＧＡサイズ以上の大きな画像ファイルを縮小する等の処理が必要であるというデメリットがある。
【００８４】
デジタルカメラ１４を、ファクシミリ装置１００に接続することによって、ファクシミリ装置１００の表示部において、デジタルカメラ１４内のディレクトリ構造と画像ファイル名とを確認し、ファクシミリ装置１００の操作部７において選択した画像ファイルと対になるサムネイル画像を、インターネット４０上のサーバ装置３０に一括して転送することができる。
【００８５】
また、転送されたサムネイル画像を、別の場所に存在している別の装置から、閲覧することができる。
【００８６】
アップロードする画像は、サムネイル画像だけであるので、データサイズが小さく抑えられ、ＡＤＳＬ等の高速通信手段を持たないファクシミリ装置のようなデータモデム通信の装置においても、画像データを複数枚アップロードする場合、時間的、金銭的な制約を軽減することができる。
【００８７】
また、ＰＣを使うことができないユーザにとっては、デジタルカメラ１４とファクシミリ装置１００とを、ＵＳＢによって接続し、ファクシミリ装置１００で簡単な操作をするだけで、インターネット４０に簡易にアップロードできるので、ユーザの操作負荷を軽減し、利便性を高めることができる。
【００８８】
なお、上記実施例において、インターネットの代わりに、他のネットワークを使用するようにしてもよい。
【図面の簡単な説明】
【００８９】
【図１】本発明の実施例１であるファクシミリ装置１００を示すブロック図である。
【図２】ファクシミリ装置１００が使用されている画像ファイル転送システム２００の全体を示すブロック図である。
【図３】上記実施例において、サーバ装置３０へアップロードする動作を示すフローチャートである。
【符号の説明】
【００９０】
１００、１０１…ファクシミリ装置、
１…制御部、
２…ＲＯＭ、
３…ワークメモリ、
４…メモリ、
５…画像記録部、
６…原稿読取部、
７…操作部、
８…計時タイマ、
９…モデム、
１０…ＮＣＵ、
１２…データモデム、
１３…ＵＳＢホスト、
１４…デジタルカメラ、
２００…画像ファイル転送システム、
３０…サーバ装置、
４０…インターネット、
５１、５２…ＩＳＰ、
６０…無線基地局、
７０…携帯端末。
【図１】
2005123928.tif 000003
【図２】
2005123928.tif 000004
【図３】
2005123928.tif 000005